【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
投光面に開口を有する本体と、
前記開口の前半部を覆うように固定された放熱板と、
前記放熱板の表面に配設された光源と、
前記放熱板の裏側の前記本体内に形成された空間または前記放熱板の裏面に配設された前記光源の点灯に要する電気回路要素と、
を備え、
前記開口の後半部に対応する前記本体の空間内に、非常点灯用の電源となる蓄電池が配設された、
ことを特徴とする照明器具。
【請求項２】
投光面に開口を有する本体と、
前記開口の前半部を覆うように前記本体に固定された放熱板と、
前記放熱板の表面に配設された光源と、
前記放熱板の裏側の前記本体内に形成された空間または前記放熱板の裏面に配設された前記光源の点灯に要する電気回路要素と、
前記開口の後半部を開閉可能に覆う遮蔽板と、
を備え、
前記遮蔽板で覆われる前記本体内の空間に非常点灯用の電源となる蓄電池が配設された、
ことを特徴とする照明器具。
【請求項３】
投光面に開口を有する略舟形の中空本体の前半部の内部に光源を配設し、後半部の内部に前記光源を非常点灯するための蓄電池を設けるようにした照明器具において、
前記開口の前半部を覆うように固定された放熱板の表面に常用光源となるＬＥＤアレイおよび非常用光源となるＬＥＤアレイが並置され、前記放熱板の裏面および／または該放熱板により仕切られて形成された前室の空間内に前記常用光源および非常用光源の点灯に要する電気回路要素が設けられ、前記開口の後半部を覆う遮蔽板が開閉可能に設けられ、該遮蔽板により仕切られて形成された後室の空間内に前記非常用光源の電源となる蓄電池が収容されたことを特徴とする照明器具。
【請求項４】
前記前室と後室を仕切る仕切板を前記放熱板の後端部に起立状態で有することを特徴とする請求項３に記載の照明器具。
【請求項５】
前記遮蔽板の端部にスリットが形成され、該スリットを介して前記仕切板に前記遮蔽板が装着されてなることを特徴とする請求項４に記載の照明器具。
【請求項６】
前記蓄電池が、その外周面を保持する保持金具により前記本体の空間内に着脱可能に取り付けられたことを特徴とする請求項１乃至請求項５のいずれかに記載の照明器具。
【請求項７】
インジケータ機能と回路開閉機能を一体に備えたスイッチを設け、前記蓄電池の充電状態のモニターと前記非常用光源の点灯を確認する点検機能を備えたことを特徴とする請求項３に記載の照明器具。
【請求項８】
前記非常用光源の点灯時において点灯モードの切り換えが可能となるようにするモードスイッチを設けたことを特徴とする請求項３または請求項７に記載の照明器具。
【請求項９】
前記中空本体外部の環境照度を検出するための光センサーを設けたことを特徴とする請求項３、請求項７または請求項８に記載の照明器具。
【請求項１０】
前記光センサーは、商用電源が遮断された場合においても光センサー機能が前記蓄電池の電源により維持できるようにしたことを特徴とする請求項９に記載の照明器具。
【請求項１１】
投光面に開口を形成し、支柱などへの取り付けを容易にするための取付部を有する中空本体と；
商用交流電源が遮断されたとき給電するための蓄電池と；
前記蓄電池への充電回路と；
ＬＥＤアレイからなる常用光源と；
商用交流電源が遮断されたとき前記蓄電池により点灯するように設けたＬＥＤアレイからなる非常用光源と；
中空本体外部の環境照度を検知する光センサーを有し、環境照度の設定された明暗に基づく前記光センサーからの信号に基づいて常用光源または非常用光源を点滅制御する制御回路と；
中空本体の前記開口を閉塞するために開閉自在に設けられ、常用光源および非常用光源からの光を透過させる透光カバーと；
を具備した照明器具であり、
前記常用光源および非常用光源などの発熱要素を中空本体の先端側に配置し、前記蓄電池を中空本体の後端側に断熱材を介して配置するとともに、前記発熱要素と蓄電池との間を仕切る仕切板を設けたことを特徴とする照明器具。
【請求項１２】
非常用点灯モードの切り換えが非常用光源の点灯時間および調光度合いの組み合わせであるようにしたことを特徴とする請求項８または請求項１１に記載の照明器具。
【手続補正２】
【補正対象書類名】明細書
【補正対象項目名】００１０
【補正方法】変更
【補正の内容】
【００１０】
そこで本発明は、以下に述べる各手段により上記課題を解決するようにした。即ち、請求項１に記載の発明では、投光面に開口を有する本体と、前記開口の前半部を覆うように固定された放熱板と、前記放熱板の表面に配設された光源と、前記放熱板の裏側の前記本体内に形成された空間または前記放熱板の裏面に配設された前記光源の点灯に要する電気回路要素と、を備え、前記開口の後半部に対応する前記本体の空間内に、非常点灯用の電源となる蓄電池が配設された照明器具とする。
また、請求項２に記載の発明では、投光面に開口を有する本体と、前記開口の前半部を覆うように前記本体に固定された放熱板と、前記放熱板の表面に配設された光源と、前記放熱板の裏側の前記本体内に形成された空間または前記放熱板の裏面に配設された前記光源の点灯に要する電気回路要素と、前記開口の後半部を開閉可能に覆う遮蔽板と、を備え、前記遮蔽板で覆われる前記本体内の空間に非常点灯用の電源となる蓄電池が配設された照明器具とする。
更に、請求項３に記載の発明では、投光面に開口を有する略舟形の中空本体の前半部の内部に光源を配設し、後半部の内部に前記光源を非常点灯するための蓄電池を設けるようにした照明器具において、前記開口の前半部を覆うように固定された放熱板の表面に常用光源となるＬＥＤアレイおよび非常用光源となるＬＥＤアレイが並置され、前記放熱板の裏面および／または該放熱板により仕切られて形成された前室の空間内に前記常用光源および非常用光源の点灯に要する電気回路要素が設けられ、前記開口の後半部を覆う遮蔽板が開閉可能に設けられ、該遮蔽板により仕切られて形成された後室の空間内に前記非常用光源の電源となる蓄電池が収容された照明器具となるようにする。
【手続補正３】
【補正対象書類名】明細書
【補正対象項目名】００１１
【補正方法】変更
【補正の内容】
【００１１】
請求項４に記載の発明では、上記請求項３に記載の照明器具において、前記前室と後室を仕切る仕切板を前記放熱板の後端部に起立状態で有するようにする。
【手続補正４】
【補正対象書類名】明細書
【補正対象項目名】００１２
【補正方法】変更
【補正の内容】
【００１２】
請求項５に記載の発明では、上記請求項４に記載の照明器具において、前記遮蔽板の端部にスリットが形成され、該スリットを介して前記仕切板に前記遮蔽板が装着されてなる。
【手続補正５】
【補正対象書類名】明細書
【補正対象項目名】００１３
【補正方法】変更
【補正の内容】
【００１３】
請求項６に記載の発明では、上記請求項１乃至請求項５のいずれかに記載の照明器具において、前記蓄電池が、その外周面を保持する保持金具により前記本体の空間内に着脱可能に取り付けられるようにする。
【手続補正６】
【補正対象書類名】明細書
【補正対象項目名】００１４
【補正方法】変更
【補正の内容】
【００１４】
請求項７に記載の発明では、上記請求項３に記載の照明器具において、インジケータ機能と回路開閉機能を一体に備えたスイッチを設け、前記蓄電池の充電状態のモニターと前記非常用光源の点灯を確認する点検機能を備えるようにする。
【手続補正７】
【補正対象書類名】明細書
【補正対象項目名】００１５
【補正方法】変更
【補正の内容】
【００１５】
請求項８に記載の発明では、上記請求項３または請求項７に記載の照明器具において、前記非常用光源の点灯時において点灯モードの切り換えが可能となるようにするモードスイッチを設ける。
【手続補正８】
【補正対象書類名】明細書
【補正対象項目名】００１６
【補正方法】変更
【補正の内容】
【００１６】
請求項９に記載の発明では、上記請求項３、請求項７または請求項８に記載の照明器具において、前記中空本体外部の環境照度を検出するための光センサーを設ける。
【手続補正９】
【補正対象書類名】明細書
【補正対象項目名】００１７
【補正方法】変更
【補正の内容】
【００１７】
請求項１０に記載の発明では、上記請求項９に記載の照明器具において、前記光センサーは、商用電源が遮断された場合においても光センサー機能が前記蓄電池の電源により維持できるようにする。
【手続補正１０】
【補正対象書類名】明細書
【補正対象項目名】００１８
【補正方法】変更
【補正の内容】
【００１８】
請求項１１に記載の発明では、投光面に開口を形成し、支柱などへの取り付けを容易にするための取付部を有する中空本体と；商用交流電源が遮断されたとき給電するための蓄電池と；前記蓄電池への充電回路と；ＬＥＤアレイからなる常用光源と；商用交流電源が遮断されたとき前記蓄電池により点灯するように設けたＬＥＤアレイからなる非常用光源と；中空本体外部の環境照度を検知する光センサーを有し、環境照度の設定された明暗に基づく前記光センサーからの信号に基づいて常用光源または非常用光源を点滅制御する制御回路と；中空本体の前記開口を閉塞するために開閉自在に設けられ、常用光源および非常用光源からの光を透過させる透光カバーと；を具備した照明器具であり、前記常用光源および非常用光源などの発熱要素を中空本体の先端側に配置し、前記蓄電池を中空本体の後端側に断熱材を介して配置するとともに、前記発熱要素と蓄電池との間を仕切る仕切板を設けた照明器具となるようにする。
【手続補正１１】
【補正対象書類名】明細書
【補正対象項目名】００１９
【補正方法】変更
【補正の内容】
【００１９】
請求項１２に記載の発明では、請求項８または請求項１１に記載の照明器具において、非常用点灯モードの切り換えが非常用光源の点灯時間および調光度合いの組み合わせであるようにする。